【手続補正書】
【提出日】平成18年11月13日(2006.11.13)
【手続補正１】
【補正対象書類名】明細書
【補正対象項目名】発明の名称
【補正方法】変更
【補正の内容】
【発明の名称】柔軟性印刷用紙の製造方法
【手続補正２】
【補正対象書類名】明細書
【補正対象項目名】特許請求の範囲
【補正方法】変更
【補正の内容】
【特許請求の範囲】
［請求項１］柔軟化剤の内添を必須とし、密度、抄紙方向の裂断長及び抄紙方向のヤング率の3者の積を2×1018以上10×1018ｇ・N／ｍ4以下とすることを特徴とする柔軟性印刷用紙の製造方法。
［請求項２］柔軟性印刷用紙の密度、抄紙方向の裂断長、抄紙方向のヤング率の各々を、下記の手段の単独若しくは組み合わせにより、低下させることを特徴とする請求項１記載の柔軟性印刷用紙の製造方法。
（１）密度を低下させる手段：低密度のパルプ及び低密度の填料の配合率を高める方法、嵩高薬品の使用、抄紙工程でのプレス圧の低減
（２）抄紙方向の裂断長を低下させる手段：填料の配合率を高める方法、柔軟化剤の使用
（３）抄紙方向のヤング率を低下させる手段：柔軟化剤の使用
［請求項３］抄紙方向の裂断長を4ｋｍ以下とすることを特徴とする請求項１または２に記載の柔軟性印刷用紙の製造方法。
［請求項４］柔軟化剤の添加量がパルプ絶乾重量当たり0.1〜5重量％であることを特徴とする請求項１〜３のいずれかに記載の柔軟性印刷用紙の製造方法。
［請求項５］請求項１〜４のいずれかに記載の製造方法で抄造された原紙表面に、水溶性高分子を主成分とする表面処理剤を塗布することを特徴とする柔軟性印刷用紙の製造方法。
【手続補正３】
【補正対象書類名】明細書
【補正対象項目名】０００１
【補正方法】変更
【補正の内容】
【０００１】
［発明の属する技術分野］本発明は、柔軟性に優れ、かつ嵩高である印刷用紙の製造方法に関し、特に書籍用途に好適な印刷用紙の製造方法に関する。
【手続補正４】
【補正対象書類名】明細書
【補正対象項目名】００１４
【補正方法】変更
【補正の内容】
【００１４】
［発明が解決しようとする課題］本発明の課題は、風合い、手触り、めくりやすさが良好で、用紙密度が低く（嵩高である）、かつ印刷時に断紙が少なく、印刷適性に優れる柔軟性印刷用紙の製造方法を提供することである。
【手続補正５】
【補正対象書類名】明細書
【補正対象項目名】００１５
【補正方法】変更
【補正の内容】
【００１５】
［課題を解決するための手段］本発明者らは、上記課題を解決するために鋭意検討した結果、紙中に柔軟化剤を含有させ、かつ紙の密度、抄紙方向の裂断長及び抄紙方向のヤング率の3者の積が2×1018以上10×1018ｇ・N／ｍ4以下となるように紙の製造条件を特定することによって風合い、手触り、めくりやすさが良好で、かつ嵩高な柔軟性印刷用紙が得られることを見出した。
【手続補正６】
【補正対象書類名】明細書
【補正対象項目名】００１７
【補正方法】変更
【補正の内容】
【００１７】
すなわち、本発明の目的とする軽量嵩高でかつ柔軟性がある紙を製造するためには、紙の強度、ヤング率及び密度を同時にバランス良く低下させることが効果的であり、鋭意検討した結果、紙の密度、抄紙方向の裂断長及び抄紙方向のヤング率の3者の値の積と良好な相関があることが判明した。すなわち、これらの3者の値が低いほど紙は柔軟で、嵩高（低密度）であり、3者の値の積が2×1018以上10×1018ｇ・N／ｍ4以下の範囲であれば、風合い、手触りが良好で、かつ軽量嵩高であり、さらに抄紙機、印刷機上での断紙トラブルの少ない用紙であることを見出した。特に、3者の値の積が2×1018以上5×1018ｇ・N／ｍ4以下の範囲であれば、書籍用紙として好適である。上述したように強度を低下させることによって抄紙機や印刷機上での断紙が懸念されるが、ヤング率を同時に低下させた場合、荷重が掛かった時に、紙の弾性範囲内であれば紙が伸長しやすくなるので部分的な応力集中が起き難く、強度を低下させても断紙が発生し難くなったと推察される。
【手続補正７】
【補正対象書類名】明細書
【補正対象項目名】００１８
【補正方法】変更
【補正の内容】
【００１８】
本発明の製造方法で製造される印刷用紙は、紙の抄紙方向の裂断長及び抄紙方向のヤング率を前述の値に特定するために、抄紙機で抄造されることが必要である。すなわち、手抄機等で製造された繊維配向が無配向の紙では、本発明の製造方法のように、抄紙方向の裂断長及び抄紙方向のヤング率に調整することはできない。また、仮に配向性を与えることが可能である手抄機を使用した場合でも、プレス、乾燥、カレンダー条件を抄紙機と同一にすることが不可能であるため、本発明の製造方法で得られる紙の密度に調整することはできない。そのため、抄紙機としては、長網抄紙機、若しくはオントップフォーマ型、ハイブリッドフォーマ型及びギャップフォーマ型などのツインワイヤー型抄紙機等公知公用のものが使用される。
【手続補正８】
【補正対象書類名】明細書
【補正対象項目名】００２４
【補正方法】変更
【補正の内容】
【００２４】
本発明の製造方法で製造される紙の密度、抄紙方向の裂断長及び抄紙方向のヤング率の3者の積を2×1018以上10×1018ｇ・N／ｍ4以下の範囲にするためには、柔軟化剤の添加量は、パルプ配合、填料の含有率、内添薬品などを考慮して決定される。通常は、パルプ絶乾重量当たり0.1〜5重量％の範囲で紙料へ添加して、抄造すればよい。
【手続補正９】
【補正対象書類名】明細書
【補正対象項目名】００２５
【補正方法】変更
【補正の内容】
【００２５】
本発明の製造方法で製造する柔軟性印刷用紙は、原料パルプとして、化学パルプ（針葉樹の晒クラフトパルプ（ＮＢＫＰ）または未晒クラフトパルプ（ＮＵＫＰ）、広葉樹の晒クラフトパルプ（ＬＢＫＰ）または未晒クラフトパルプ（ＬＵＫＰ）等）、機械パルプ（グランドパルプ（ＧＰ）、サーモメカニカルパルプ（ＴＭＰ）、ケミサーモメカニカルパルプ（ＣＴＭＰ）等、）、脱墨パルプ（ＤＩＰ）を単独または任意の割合で混合して使用する。
【手続補正１０】
【補正対象書類名】明細書
【補正対象項目名】００２６
【補正方法】変更
【補正の内容】
【００２６】
本発明の製造方法で製造される柔軟性印刷用紙のｐHは、酸性、中性、アルカリ性のいずれでもよい。また、紙中に填料を含有させると、裂断長及びヤング率は低下する傾向があるため、填料を含有させることは好ましい。填料としては、水和珪酸、ホワイトカーボン、タルク、カオリン、クレー、炭酸カルシウム、酸化チタン、合成樹脂填料等の公知の填料を使用することができる。
【手続補正１１】
【補正対象書類名】明細書
【補正対象項目名】００２７
【補正方法】変更
【補正の内容】
【００２７】
さらに、本発明の製造方法で製造される柔軟性印刷用紙には、必要に応じて、硫酸バンド、サイズ剤、紙力増強剤、歩留まり向上剤、着色剤、染料、消泡剤等を含有させてもよい。
【手続補正１２】
【補正対象書類名】明細書
【補正対象項目名】００２９
【補正方法】変更
【補正の内容】
【００２９】
以上のように、柔軟化剤を含有させ、密度、抄紙方向の裂断長及び抄紙方向のヤング率の3者の積を2×1018以上10×1018ｇ・N／ｍ4以下に特定することによって、嵩高軽量でかつ柔軟性に優れる印刷用紙が得られる。本発明の製造方法で製造される嵩高な柔軟性印刷用紙は、書籍用紙の他、オフセット印刷用紙、凸版印刷用紙、グラビア印刷用紙、電子写真用紙、あるいは塗工紙、インクジェット記録用紙、感熱記録紙、感圧記録紙等の原紙にも使用することができる。